(57)【要約】【課題】複数の表示面に二次元像をそれぞれ表示することで立体像を表示する際に、重ね合わせた二次元像の間で意図しない光の干渉が生じるのを防ぐ。【解決手段】観察者から見て奥行き位置が異なる表示面１，２に、同じ表示対象物の二次元像３，４をそれぞれ所定の明るさにより表示することで、観察者がその表示対象物の三次元立体像５を観察可能とする。このとき、表示面１，２における二次元像３，４の表示タイミングを重ならないように制御する。【選択図】図１
2009192897.tif 000002
【特許請求の範囲】
【請求項１】
観察者が表示対象物の三次元立体像を観察可能とするために、前記観察者から見て奥行き位置が異なる複数の表示面に前記表示対象物の二次元像をそれぞれ所定の明るさにより表示する表示手段と、
前記複数の表示面における前記二次元像の表示タイミングを重ならないように制御する制御手段とを備えることを特徴とする表示装置。
【請求項２】
請求項１に記載の表示装置において、
前記表示手段は、前記複数の表示面に前記表示対象物の二次元像を含む画像を所定の周期ごとにそれぞれ表示し、
前記制御手段は、前記複数の表示面のうちいずれかに前記画像が表示されているとき、他の表示面には前記画像が表示されないようにすることで、前記表示タイミングを重ならないように制御することを特徴とする表示装置。
【請求項３】
請求項１に記載の表示装置において、
前記表示手段は、前記複数の表示面を順次走査して前記表示対象物の二次元像を含む画像を所定の周期ごとにそれぞれ表示し、
前記制御手段は、前記複数の表示面における各走査位置が前記観察者から見て互いに重ならないようにすることで、前記表示タイミングを重ならないように制御することを特徴とする表示装置。
【請求項４】
請求項２または３に記載の表示装置において、
前記複数の表示面にそれぞれ表示される複数の画像を合わせた一つの画像を表す画像信号を外部から入力する入力手段をさらに備え、
前記制御手段は、前記入力手段に入力される画像信号に基づいて、前記表示手段が前記複数の表示面に前記複数の画像をそれぞれ表示するための信号を生成することを特徴とする表示装置。
【請求項５】
請求項４に記載の表示装置において、
前記画像信号は、輝度または色の少なくともいずれかを示す映像信号と、走査タイミングを示すための同期信号とを含み、
前記制御手段は、前記画像信号に含まれる同期信号に基づいて、前記複数の画像の各々についての同期信号をそれぞれ生成し、生成した各同期信号を前記表示タイミングに応じて前記映像信号と共に前記複数の表示面に対してそれぞれ出力することを特徴とする表示装置。
【請求項６】
請求項５に記載の表示装置において、
前記制御手段は、前記生成した同期信号を出力中の表示面に対しては前記映像信号を共に出力し、他の表示面に対しては前記映像信号を遮断して出力しないことを特徴とする表示装置。
【請求項７】
観察者から見て奥行き位置が異なる複数の表示面に表示対象物の二次元像をそれぞれ所定の明るさにより表示することで、前記観察者に前記表示対象物の三次元立体像を観察させる立体表示方法であって、
前記複数の表示面における前記二次元像の表示タイミングを重ならないように制御することを特徴とする立体表示方法。
【発明の詳細な説明】
【技術分野】
【０００１】
本発明は、三次元表示を行う表示装置およびその立体表示方法に関する。
【背景技術】
【０００２】
従来、観察者から見て異なった奥行き位置にある複数の表示面に二次元像をそれぞれ表示し、この複数の表示面に表示される二次元像の輝度または透過度を表示面ごとに変化させることにより、立体的な像を表示する装置が知られている（特許文献１参照）。
【０００３】
【特許文献１】特開２００６−１９５０１８号公報
【発明の開示】
【発明が解決しようとする課題】
【０００４】
特許文献１に開示される装置では、複数の表示面に表示された二次元像を重ね合わせることで立体像を表示している。このとき、重ね合わせた二次元像の間で意図しない光の干渉が生じることにより、観察者から見える立体像が本来とは異なる色合いとなったり、滲んでしまったりする場合がある。
【課題を解決するための手段】
【０００５】
請求項１の発明による表示装置は、観察者が表示対象物の三次元立体像を観察可能とするために、観察者から見て奥行き位置が異なる複数の表示面に表示対象物の二次元像をそれぞれ所定の明るさにより表示する表示手段と、複数の表示面における二次元像の表示タイミングを重ならないように制御する制御手段とを備える。
請求項２の発明は、請求項１に記載の表示装置において、表示手段は、複数の表示面に表示対象物の二次元像を含む画像を所定の周期ごとにそれぞれ表示し、制御手段は、複数の表示面のうちいずれかに画像が表示されているとき、他の表示面には画像が表示されないようにすることで、表示タイミングを重ならないように制御するものである。
請求項３の発明は、請求項１に記載の表示装置において、表示手段は、複数の表示面を順次走査して表示対象物の二次元像を含む画像を所定の周期ごとにそれぞれ表示し、制御手段は、複数の表示面における各走査位置が観察者から見て互いに重ならないようにすることで、表示タイミングを重ならないように制御するものである。
請求項４の発明は、請求項２または３に記載の表示装置において、複数の表示面にそれぞれ表示される複数の画像を合わせた一つの画像を表す画像信号を外部から入力する入力手段をさらに備え、制御手段は、入力手段に入力される画像信号に基づいて、表示手段が複数の表示面に複数の画像をそれぞれ表示するための信号を生成するものである。
請求項５の発明は、請求項４に記載の表示装置において、画像信号は、輝度または色の少なくともいずれかを示す映像信号と、走査タイミングを示すための同期信号とを含み、制御手段は、画像信号に含まれる同期信号に基づいて、複数の画像の各々についての同期信号をそれぞれ生成し、生成した各同期信号を表示タイミングに応じて映像信号と共に複数の表示面に対してそれぞれ出力するものである。
請求項６の発明は、請求項５に記載の表示装置において、制御手段は、生成した同期信号を出力中の表示面に対しては映像信号を共に出力し、他の表示面に対しては映像信号を遮断して出力しないものである。
請求項７の発明による立体表示方法は、観察者から見て奥行き位置が異なる複数の表示面に表示対象物の二次元像をそれぞれ所定の明るさにより表示することで、観察者に表示対象物の三次元立体像を観察させる立体表示方法であって、複数の表示面における二次元像の表示タイミングを重ならないように制御するものである。
【発明の効果】
【０００６】
本発明によれば、重ね合わせた二次元像の間で意図しない光の干渉が生じるのを防ぐことができる。
【発明を実施するための最良の形態】
【０００７】
始めに、本発明による表示装置の原理について説明する。図１は、本発明を適用したＤＦＤ（Depth Fused-3D）型の三次元表示装置の原理を説明するための図である。図１に示す三次元表示装置は、観察者から見て異なる奥行き位置に表示面１および２を設定し、表示面１には二次元像３を、表示面２には二次元像４を表示する。なお、観察者により近い位置にある表示面１は透明または半透明状であり、観察者はこの表示面１を通して、表示面２に表示された二次元像４を観察することができる。このような表示面１を実現するために、たとえば液晶ディスプレイやプロジェクタ方式のディスプレイなどを利用することができる。あるいは、透明または半透明状でないＣＲＴ等のディスプレイによる表示面をハーフミラーにより反射させることで、表示面１を実現してもよい。
【０００８】
表示面１，２にそれぞれ表示される二次元像３，４は、いずれも同一の表示対象物を表しており、観察者から見て互いに重なるような位置および大きさで表示される。二次元像３，４をそれぞれ所定の明るさにより表示することで、観察者に符号５に示すような三次元立体像を観察させることができる。このとき、二次元像４に比して二次元像３の明るさが増すほど、観察者は表示面１に近い位置に三次元立体像５を観察し、反対に二次元像３に比して二次元像４の明るさが増すほど、観察者は表示面２に近い位置に三次元立体像５を観察する。なお、二次元像３および４の明るさを部分ごとに変化させることで、三次元立体像５の奥行きや立体感を表現することもできる。さらに、二次元像３および４の明るさを時間に応じてそれぞれ変化させることで、三次元立体像５の奥行き方向の動きを表現することもできる。
【０００９】
なお、上記では表示面が２つの場合の例を説明したが、３つ以上の表示面を用いても同様にして三次元立体像を表現することができる。すなわち、観察者から見て奥行き位置が異なる複数の表示面に、表示対象物の二次元像をそれぞれ所定の明るさにより表示することで、観察者にその表示対象物の三次元立体像を観察させることができる。
【００１０】
次に、本発明による表示装置の構成について説明する。図２は、本発明の一実施形態による２つの液晶ディスプレイを用いた表示装置１０の構成を示す図である。図２に示すように、表示装置１０は、バックライト１１、偏光板１２、後面液晶パネル１３、前面液晶パネル１４、偏光板１５、制御部１６および信号入力部１７を備えている。
【００１１】
バックライト１１は、表示装置１０が画面表示を行う際の光源として働く部分であり、後面液晶パネル１３および前面液晶パネル１４を照明するための光を発する。このバックライト１１には、後面液晶パネル１３および前面液晶パネル１４を均一に照明するために、たとえば冷陰極管や発光ダイオードなどの発光部材に加えて、発光部材からの光を面状に拡散するための導光板または拡散板が備えられている。なお、導光板を用いる方式はエッジライト方式と呼ばれ、拡散板を用いる方式は直下型方式と呼ばれている。
【００１２】
偏光板１２は、特定の偏光方向を有している。バックライト１１より発せられた光は、様々な方向の振幅成分を含んでいる。この光に対して、偏光板１２は、その偏光方向の振幅成分を透過させ、他の方向の振幅成分を遮断する。これにより、偏光板１２を透過した光は、特定の振幅成分のみを有する直線偏光となる。
【００１３】
後面液晶パネル１３と前面液晶パネル１４は、いずれも多数の透明電極が形成された２枚の透明基板の間に液晶材料を挟み込んだ構造を有しており、偏光板１２と偏光板１５の間に挟まれて設けられている。後面液晶パネル１３と前面液晶パネル１４の間には、所定の距離ｄの空間（ギャップ）が設けられている。距離ｄの値は、たとえば３〜１５mm程度である。
【００１４】
後面液晶パネル１３および前面液晶パネル１４は、各々の透明基板上に形成された透明電極を用いて、予め設定された画素単位で液晶材料に印加する電圧をそれぞれ制御する。これにより、後面液晶パネル１３と前面液晶パネル１４の各々において、偏光板１２を透過して入射された光の偏光状態が画素単位で制御される。このときの後面液晶パネル１３および前面液晶パネル１４における印加電圧は、制御部１６の制御によってそれぞれ決定される。なお、後面液晶パネル１３と前面液晶パネル１４にカラーフィルターをそれぞれ設けて、カラー表示を行うようにしてもよい。
【００１５】
偏光板１５は、偏光板１２と同様に特定の偏光方向を有しており、入射された光のうちその偏光方向の振幅成分を透過させ、他の方向の振幅成分を遮断する。偏光板１２を透過した後に後面液晶パネル１３および前面液晶パネル１４を透過した光は、その偏光状態が上記のようにそれぞれの画素単位で制御されている。この光を偏光板１５に対して入射すると、偏光板１５を透過する光の強度が画素単位で変化する。この光強度の変化を利用して、表示装置１０は様々な画像を表示することができる。
【００１６】
制御部１６は、前述のように後面液晶パネル１３および前面液晶パネル１４において液晶材料にそれぞれ印加する電圧を制御することにより、表示装置１０が表示する画面の内容を制御する。制御部１６には、外部から表示装置１０に対して画像信号を入力するための信号入力部１７が接続されている。この信号入力部１７において入力される画像信号に基づいて、制御部１６の印加電圧制御が行われる。たとえば、車両に搭載されているナビゲーション装置から信号入力部１７に対して地図を表した画像信号が入力されると、制御部１６において行われる印加電圧制御に応じて、その地図の画像が後面液晶パネル１３と前面液晶パネル１４において所定の明るさによりそれぞれ表示される。その結果、表示装置１０において立体的な地図が表示される。
【００１７】
以上説明したように、表示装置１０は、バックライト１１より発せられた光に対して、偏光板１２によりその偏光方向の振幅成分を透過させ、後面液晶パネル１３および前面液晶パネル１４により偏光状態を画素単位でそれぞれ制御した後、その光を偏光板１５に通過させる。これにより、後面液晶パネル１３および前面液晶パネル１４において、様々な画像や映像を任意の明るさでそれぞれ表示することができる。したがって、前面液晶パネル１４を図１の表示面１として動作させ、二次元像３を表示すると共に、後面液晶パネル１３を表示面２として動作させ、二次元像４を表示することができる。このようにして、表示装置１０において三次元立体像５が表示される。
【００１８】
なお、表示装置１０は、制御部１６により、前面液晶パネル１４（表示面１）と後面液晶パネル１３（表示面２）のそれぞれにおける画像の表示タイミングを重ならないように制御する。このような制御を行うことで、上記のようにして三次元立体像を表現するときに、重ね合わせた二次元像の間で意図しない光の干渉が生じるのを防ぐ。なお、重ね合わせた二次元像の間で意図しない光の干渉が生じると、観察者から見える三次元立体像が本来のものとは異なる色合いとなったり、滲んでしまったりする場合がある。このような不都合を防止するために、以下で説明するような表示タイミングの制御を制御部１６において実行する。
【００１９】
図３は、信号入力部１７に入力される画像信号が表す画像の例を示している。この画像は、画像Ａと画像Ｂを上下につなぎ合わせた一つの画像として構成されている。ここで、上側の画像を画像Ａと表し、下側の画像を画像Ｂと表している。画像Ａは、表示面１すなわち前面液晶パネル１４に表示するための画像であり、画像Ｂは、表示面２すなわち後面液晶パネル１３に表示するための画像である。したがって、表示面１の二次元像３を画像Ａに含めると共に、表示面２の二次元像４を画像Ｂに含めることにより、表示装置１０において二次元像３および４による三次元立体像５が表示される。
【００２０】
図３の画像サイズは、後面液晶パネル１３と前面液晶パネル１４の表示解像度に応じて決定される。たとえば、後面液晶パネル１３と前面液晶パネル１４において表示可能な画像サイズが、いずれも横３２０ドット、縦２４０ドットであったとする。このときの画像サイズは、横３２０ドット、縦４８０ドットとなる。
【００２１】
信号入力部１７に入力される画像信号では、図３のような画像を水平ラインごとに分解して表している。たとえば、最初の行に対応する水平ラインをＨ（１）とし、次の行に対応する水平ラインをＨ（２）とする。このようにして、Ｈ（１）からＨ（ｎ）までを画像Ａを表す水平ラインとすると、続くＨ（ｎ＋１）からＨ（２ｎ）までが画像Ｂを表す水平ラインとなる。上記のように図３の画像サイズを横３２０ドット、縦４８０ドットとすると、ｎ＝２４０である。これらの水平ラインＨ（１）〜Ｈ（２ｎ）の輝度や色を順に信号化したものが、画像信号として信号入力部１７に入力される。
【００２２】
なお、画像信号が表す画像の内容は、所定のフレームレート（たとえば、６０Ｈｚ）ごとに更新される。すなわち、前面液晶パネル１４（表示面１）と後面液晶パネル１３（表示面２）は、画像Ａと画像Ｂを所定の周期ごとにそれぞれ表示する。
【００２３】
上記のような画像信号が信号入力部１７に入力されると、制御部１６は、その画像信号に基づいて、前面液晶パネル１４と後面液晶パネル１３に対して、その各表示面（表示面１、２）を順次走査させることにより、画像Ａと画像Ｂを所定の周期ごとにそれぞれ表示させる。すなわち、制御部１６の制御に応じて、前面液晶パネル１４において、Ｈ（１）からＨ（ｎ）までの水平ラインを順次走査することにより、画像Ａを表示する。その後、後面液晶パネル１３において、Ｈ（ｎ＋１）からＨ（２ｎ）までの水平ラインを順次走査することにより、画像Ｂを表示する。これを交互に繰り返して、一方の表示面に画像が表示されているときに他方の表示面には画像が表示されないようにすることで、両表示面における画像の表示タイミングを重ならないように制御することができる。
【００２４】
なお、信号入力部１７に対して入力される画像信号は、映像信号、垂直同期信号および水平同期信号を含んでいる。映像信号は、上記の水平ラインＨ（１）〜Ｈ（２ｎ）における輝度または色の少なくともいずれかを示す信号である。たとえば、水平ラインＨ（１）〜Ｈ（２ｎ）における各画素の赤、緑および青の輝度をそれぞれＲ，Ｇ，Ｂで表し、これを映像信号として信号入力部１７に入力する。あるいは、Ｒ，Ｇ，Ｂの代わりに、輝度Ｙおよび色差Ｃｂ、Ｃｒを用いてもよい。なお、輝度Ｙおよび色差Ｃｂ、Ｃｒは、たとえば以下の式により表すことができる。
Ｙ＝０．２９９Ｒ＋０．５８７Ｇ＋０．１１４Ｂ
Ｃｂ＝−０．１６９Ｒ−０．３３１Ｇ＋０．５００Ｂ
Ｃｒ＝０．５００Ｒ−０．４１９Ｇ−０．０８１Ｂ
【００２５】
垂直同期信号および水平同期信号は、画面の走査タイミングを示すための信号である。垂直同期信号は、垂直方向の走査タイミング、すなわち画像フレームの切り替えタイミングを示す信号であり、予め定められたフレームレートに応じた周期で出力される。水平同期信号は、水平方向の走査タイミング、すなわち水平ラインＨ（１）〜Ｈ（２ｎ）の切り替えタイミングを示す信号であり、フレームレートと水平ライン数２ｎに応じた周期で出力される。
【００２６】
以上説明したような映像信号、垂直同期信号および水平同期信号を含む画像信号が外部から信号入力部１７に対して入力され、制御部１６へ伝えられると、制御部１６は、これらの信号に基づいて、前面液晶パネル１４と後面液晶パネル１３に対して必要な信号をそれぞれ生成して出力する。その様子を図４により説明する。図４は、信号生成に関する制御部１６の機能ブロック図を示している。図４に示すように、制御部１６は、信号生成に関して、水平同期信号カウント部１６１、垂直同期信号生成部１６２および切替部１６３の各部を有している。垂直同期信号は、水平同期信号カウント部１６１および垂直同期信号生成部１６２に対して入力され、水平同期信号は、水平同期信号カウント部１６１および切替部１６３に対して入力され、映像信号は切替部１６３に対して入力される。
【００２７】
信号入力部１７から水平同期信号カウント部１６１に垂直同期信号が入力されると、それに応じて水平同期信号カウント部１６１は、水平同期信号のカウントを開始する。所定数の水平同期信号がカウントされたら、水平同期信号カウント部１６１から垂直同期信号生成部１６２および切替部１６３に対して、そのことが通知される。なお、上記の所定数は、図３の画像Ａから画像Ｂへの切り替えのタイミングに応じて決定される。カウント（ｎ＋１）から垂直同期信号パルスの長さを差し引いた値（ｎ＋１−Ｘ）の時、水平同期信号カウント部１６１から垂直同期信号生成部１６２と切替部１６３に対してカウント通知がそれぞれ出力される。
【００２８】
垂直同期信号生成部１６２は、信号入力部１７から入力される垂直同期信号と、水平同期信号カウント部１６１からのカウント通知とに基づいて、前面液晶パネル１４の表示面１において画像Ａを表示するための垂直同期信号Ａと、後面液晶パネル１３の表示面２において画像Ｂを表示するための垂直同期信号Ｂとを生成する。このとき、水平同期信号カウント部１６１からのカウント通知に応じて、垂直同期信号Ａに対してフレームレートの半分、すなわち水平ラインがＨ（ｎ）からＨ（ｎ＋１）に切り替わるタイミング分だけ遅れるように、垂直同期信号Ｂを生成する。垂直同期信号生成部１６２において生成された垂直同期信号Ａ，Ｂは、前面液晶パネル１４と後面液晶パネル１３に対してそれぞれ出力される。
【００２９】
切替部１６３は、水平同期信号カウント部１６１からのカウント通知に応じて、信号入力部１７から入力される水平同期信号の出力先を、前面液晶パネル１４または後面液晶パネル１３のいずれかに切り替える。カウント通知前、すなわち水平ラインがＨ（１）からＨ（ｎ）までの間は、前面液晶パネル１４に対して水平同期信号Ａを映像信号と共に出力し、カウント通知後、すなわち水平ラインがＨ（ｎ＋１）からＨ（２ｎ）までの間は、後面液晶パネル１３に対して水平同期信号Ｂを映像信号と共に出力する。
【００３０】
なお、映像信号は、上記のような水平同期信号の出力先の切り替えに関わらず、切替部１６３から前面液晶パネル１４および後面液晶パネル１３の両方に対して常に出力し続けてよい。あるいは、前面液晶パネル１４と後面液晶パネル１３にそれぞれ出力された映像信号同士が互いに干渉して画像の乱れ等を生じる場合などは、水平同期信号ＡまたはＢのいずれかを出力中の一方の液晶パネルに対してのみ映像信号を共に出力し、他方は映像信号を遮断して出力しないこととしてもよい。このようにすれば、映像信号同士の干渉を避けることができる。
【００３１】
以上説明したようにして制御部１６から前面液晶パネル１４と後面液晶パネル１３に対して出力される各信号の例を、図５のタイミングチャートに示す。符号２１に示す垂直同期信号と、符号２２に示す水平同期信号とが信号入力部１７から制御部１６へ入力されると、上記のような各部の動作により、符号２３に示す垂直同期信号Ａ、符号２４に示す垂直同期信号Ｂ、符号２５に示す水平同期信号Ａおよび符号２６に示す水平同期信号Ｂが生成され、制御部１６から前面液晶パネル１４または後面液晶パネル１３へそれぞれ出力される。なお、図５では映像信号を省略している。
【００３２】
図５のタイミングチャートに示すように、垂直同期信号Ａ２３は、垂直同期信号２１と同じタイミングで出力される。一方、垂直同期信号Ｂ２４は、水平同期信号２２においてｎ＋１番目のパルスｐ（ｎ＋１）が出力されるタイミングから垂直同期信号パルスの長さを差し引いた値（ｎ＋１−Ｘ）のタイミングに応じて出力される。また、水平同期信号２２のうち、パルスｐ（１）からパルスｐ（ｎ）までが水平同期信号Ａ２５として出力され、パルスｐ（ｎ＋１）からパルスｐ（２ｎ）までが水平同期信号Ｂ２６として出力される。なお、ここでは図を簡略化するためにｎ＝１０としているが、このｎの値は前述のように、画像Ａと画像Ｂを切り替える水平ラインの位置を表している。
【００３３】
以上説明したように、制御部１６は、画像信号に含まれる垂直同期信号および水平同期信号に基づいて、前面液晶パネル１４（表示面１）に表示する画像Ａと、後面液晶パネル１３（表示面２）に表示する画像Ｂとについて、垂直同期信号ＡおよびＢと、水平同期信号ＡおよびＢとをそれぞれ生成する。そして、生成したこれらの同期信号を、前面液晶パネル１４と後面液晶パネル１３に対して、それぞれの表示タイミングに応じて出力する。これにより、前面液晶パネル１４と後面液晶パネル１３のいずれかに画像ＡまたはＢが表示されているとき、他方には画像が表示されないようにして、画像Ａと画像Ｂの表示タイミングを重ならないように制御する。
【００３４】
なお、図５のタイミングチャートにおいて、垂直同期信号Ｂ２４の一部または全部と、水平同期信号Ａ２５の一部または全部とが重なるようにしてもよい。このようにしても、水平同期信号Ａ２５と水平同期信号Ｂ２６とが分離されている限り、前面液晶パネル１４と後面液晶パネル１３のいずれか一方に画像ＡまたはＢが表示されているとき、他方には画像が表示されないようにすることができる。
【００３５】
以上説明した実施の形態によれば、次の作用効果を奏する。
（１）表示装置１０は、前面液晶パネル１４と後面液晶パネル１３により、観察者から見て奥行き位置が異なる表示面１，２に、同じ表示対象物の二次元像３，４をそれぞれ所定の明るさにより表示することで、観察者がその表示対象物の三次元立体像５を観察可能とする。このとき、表示面１，２における二次元像３，４の表示タイミングを重ならないように、制御部１６により制御することとした。このようにしたので、重ね合わせた二次元像３，４の間で意図しない光の干渉が生じるのを防ぐことができる。その結果、観察者から見える三次元立体像５が干渉により本来のものとは異なる色合いとなったり、滲んでしまったりするのを防止できる。
【００３６】
（２）前面液晶パネル１４および後面液晶パネル１３は、表示面１，２に表示対象物の二次元像３，４を含む画像Ａ，Ｂを所定のフレームレートごとにそれぞれ表示する。制御部１６は、表示面１，２のうちいずれかに画像ＡまたはＢが表示されているとき、他の表示面には画像が表示されないようにすることで、二次元像３，４の表示タイミングを重ならないように制御する。このようにしたので、確実に二次元像３，４の表示タイミングを重ならないようにすることができる。
【００３７】
（３）表示装置１０は、信号入力部１７において、表示面１，２にそれぞれ表示される画像Ａ，Ｂを合わせた一つの画像を表す画像信号を外部から入力する。制御部１６は、この信号入力部１７に入力される画像信号に基づいて、前面液晶パネル１４および後面液晶パネル１３が表示面１，２に画像Ａ，Ｂをそれぞれ表示するための信号を生成する。すなわち、画像信号に含まれる垂直同期信号および水平同期信号に基づいて、画像Ａ，Ｂの各々についての垂直同期信号Ａ，Ｂおよび水平同期信号Ａ，Ｂをそれぞれ生成する。こうして生成した各同期信号を、二次元像３，４の表示タイミングに応じて、映像信号と共に表示面１，２に対してそれぞれ出力することとした。このようにしたので、画像信号を入力するための信号線を１系統で済ませることができる。
【００３８】
（４）制御部１６は、表示面１，２のうち、生成した垂直同期信号ＡまたはＢと、水平同期信号ＡまたはＢとを出力中の表示面に対しては映像信号を共に出力し、他の表示面に対しては映像信号を遮断して出力しないことができる。このようにすれば、映像信号同士の干渉を避け、画像の乱れ等を防ぐことができる。
【００３９】
なお、上記実施の形態では、複数の表示面における画像の表示タイミングを完全に分ける例を説明した。すなわち、表示面１，２のうちいずれかに画像ＡまたはＢが表示されているとき、他の表示面には画像が表示されないようにすることで、二次元像３，４の表示タイミングを重ならないように制御する。しかし、このように表示タイミングを完全に分けるのではなく、観察者から見て重ならない位置にある画像部分同士を同時に表示するようにしてもよい。
【００４０】
すなわち、前面液晶パネル１４および後面液晶パネル１３が表示面１，２を順次走査して表示対象物の二次元像３，４を含む画像Ａ，Ｂを所定のフレームレートごとにそれぞれ表示するときに、制御部１６は、表示面１，２における各走査位置が観察者から見て重ならないようにすることで、二次元像３，４の表示タイミングを重ならないように制御することができる。このようにすれば、各表示面における画像非表示の時間を短縮することができるため、自然で滑らかな画像表示をしつつ、二次元像３，４の表示タイミングを重ならないようにすることができる。なお、このような効果は、画面が大きくなるほど顕著となる。
【００４１】
また、上記実施の形態では、画像Ａと画像Ｂを上下につなぎ合わせて一つの画像としたが、左右につなぎ合わせてもよい。この場合、水平ラインごとに半分となる位置を求め、その位置で画像Ａと画像Ｂを分けるようにすることが好ましい。さらに、画像Ａの水平ラインと画像Ｂの水平ラインを１本または数本ずつ交互につなぎ合わせて、一つの画像を構成してもよい。
【００４２】
以上説明した実施の形態や各種の変形例はあくまで一例であり、発明の特徴が損なわれない限り、本発明はこれらの内容に限定されない。
【図面の簡単な説明】
【００４３】
【図１】本発明による表示装置の原理を説明するための図である。
【図２】本発明の一実施形態による表示装置の構成を示す図である。
【図３】画像信号が表す画像の例を示す図である。
【図４】信号生成に関する制御部の機能ブロック図である。
【図５】制御部から出力される各信号の例を示すタイミングチャートである。
【符号の説明】
【００４４】
１，２：表示面、３，４：二次元像、５：三次元立体像、１０：表示装置、
１１：バックライト、１２：偏光板、１３：後面液晶パネル、１４：前面液晶パネル、
１５：偏光板、１６：制御部、１７：信号入力部
【図１】
2009192897.tif 000003
【図２】
2009192897.tif 000004
【図３】
2009192897.tif 000005
【図４】
2009192897.tif 000006
【図５】
2009192897.tif 000007